(57)【要約】【課題】露出パネルと壁面との間に隙間が生じることを防止できる情報通信装置を提供する。【解決手段】情報通信装置Ａは、壁に固定される本体モジュールＭと、本体モジュールＭの前面側に着脱可能に装着され、本体モジュールＭに設けられた電源回路から電力供給を受ける露出パネルＰとを備える。露出パネルＰは、背面の周部を本体モジュールＭの周囲の壁面に対向させるように本体モジュールＭに装着されるものであって、露出パネルＰの背面の周部と壁面との間には弾性材料からなる弾接体３８が設けられる。本体モジュールＭに露出パネルＰを装着した状態では、弾接体３８が壁面に弾接して壁面の形状に合わせて弾性変形し、露出パネルＰと壁面との間に隙間が生じることを防止する。【選択図】図１
2009218944.tif 000002
【特許請求の範囲】
【請求項１】
電源回路および情報の授受を行う情報口を具備し壁に固定される本体モジュールと、本体モジュールの前面側に着脱可能に覆着され、本体モジュールに装着された状態で前記電源回路から電力供給を受ける情報入力手段および情報出力手段の少なくとも一方を具備する露出パネルとを備え、露出パネルは、背面の周部を本体モジュールの周囲の壁面に対向させる形で本体モジュールに装着されるものであって、露出パネルの背面の周部と壁面との間には、弾性材料からなり露出パネルと壁面との隙間を埋める弾接体が設けられていることを特徴とする情報通信装置。
【請求項２】
前記弾接体は、壁面との対向面に突設され、前記露出パネルの背面の外周に沿う形で延長された突条を具備することを特徴とする請求項１記載の情報通信装置。
【請求項３】
前記突条は、先端部の表面が後方に凸となるように湾曲していることを特徴とする請求項２記載の情報通信装置。
【発明の詳細な説明】
【技術分野】
【０００１】
本発明は、壁に取り付けて使用される情報通信装置に関するものである。
【背景技術】
【０００２】
従来から、この種の情報通信装置として、たとえば宅外に設置された相手側装置としてのドアホン子器に対して信号線を用いて接続されることによりインターホンシステムを構築し、相手側装置との間で通話可能となるもの（インターホン親機）などが提供されている（たとえば特許文献１参照）。特許文献１に例示された情報通信装置は、壁内に器体の後部が埋め込まれた形で取り付けられる埋込型の情報通信装置である。
【０００３】
なお、インターホン親機として用いる情報通信装置には、映像表示部を備え、カメラが設けられた相手側装置に接続されることにより、相手側装置のカメラで撮像された映像を表示することができるものもある。
【０００４】
ところで、この種の情報通信装置に関して、図７に示すように壁に固定される本体モジュールＭと、本体モジュールＭの前面側に着脱可能に覆着され、本体モジュールＭに装着された状態で本体モジュールＭに設けられた電源回路から電力供給を受ける露出パネルＰとに分割可能とし、たとえば本体モジュールＭと露出パネルＰとを個別に交換できるようにすることが考えられる。この構成においては、露出パネルＰと本体モジュールＭとの間に塵埃が入り込むことを防止するとともに、本体モジュールＭと露出パネルＰとの継目を隠して見映えをよくするために、露出パネルＰを本体モジュールＭに装着した状態で、露出パネルＰの背面の周部が本体モジュールＭの周囲の壁面に当接する構成とすることが望ましい。
【特許文献１】特開平６−２９１８１８号公報
【発明の開示】
【発明が解決しようとする課題】
【０００５】
しかし、情報通信装置Ａを固定する壁の表面にはたとえば壁紙の皺などに起因して凹凸を生じることがあり、このような場合において、本体モジュールＭに露出パネルＰを装着すると、図７のように露出パネルＰの背面と壁面との間には隙間が生じる。そして、露出パネルＰと壁面との間に隙間が生じると、露出パネルＰと本体モジュールＭとの間に塵埃が入りやすくなったり、情報通信装置Ａの見映えが悪くなったりするという問題がある。
【０００６】
本発明は上記事由に鑑みて為されたものであって、露出パネルと壁面との間に隙間が生じることを防止できる情報通信装置を提供することを目的とする。
【課題を解決するための手段】
【０００７】
請求項１の発明は、電源回路および情報の授受を行う情報口を具備し壁に固定される本体モジュールと、本体モジュールの前面側に着脱可能に覆着され、本体モジュールに装着された状態で前記電源回路から電力供給を受ける情報入力手段および情報出力手段の少なくとも一方を具備する露出パネルとを備え、露出パネルが、背面の周部を本体モジュールの周囲の壁面に対向させる形で本体モジュールに装着されるものであって、露出パネルの背面の周部と壁面との間には、弾性材料からなり露出パネルと壁面との隙間を埋める弾接体が設けられていることを特徴とする。
【０００８】
この構成によれば、露出パネルの背面と壁面との隙間を埋める弾接体が設けられているので、露出パネルを本体モジュールに装着したときに、弾接体は壁面に弾接することで壁面の形状に合わせて弾性変形して壁面に密着することとなり、壁面にたとえば壁紙の皺などに起因して多少の凹凸が生じていても、露出パネルと壁面との間に隙間が生じることを防止できる。したがって、露出パネルと本体モジュールとの間に塵埃が入ることや、情報通信装置の見映えが悪くなることを防止することができる。
【０００９】
請求項２の発明は、請求項１の発明において、前記弾接体が、壁面との対向面に突設され、前記露出パネルの背面の外周に沿う形で延長された突条を具備することを特徴とする。
【００１０】
この構成によれば、露出パネルを本体モジュールに装着したときに弾接体の突条が壁面に弾接するから、突条のない構成に比較すると、壁面の形状に合わせて弾接体が弾性変形しやすくなり、露出パネルと壁面との間により隙間が生じにくくなる。
【００１１】
請求項３の発明は、請求項２の発明において、前記突条が、先端部の表面が後方に凸となるように湾曲していることを特徴とする。
【００１２】
この構成によれば、突条の先端部の表面が湾曲しているから、突条の先端部を壁面に弾接させた状態で露出パネルを壁面に沿って移動させたとしても、突条が壁面に引っ掛かりにくくなる。したがって、露出パネルの着脱に際して壁面に沿った露出パネルの移動を伴う方法を採用する場合でも、突条が壁面に引っ掛かりにくくなり、突条が引っ掛かることによる壁紙の破損等を防止することができる。
【発明の効果】
【００１３】
本発明は、露出パネルと壁面との間に隙間が生じることを防止できるという利点がある。
【発明を実施するための最良の形態】
【００１４】
以下の実施形態では、宅内の壁に取り付けられ、宅外に設置された相手側装置としてのドアホン子器に対して信号線を用いて接続されることによりインターホンシステムを構築し、相手側装置との間で通信（通話）可能となるインターホン親機を情報通信装置の一例として、本発明の情報通信装置の構成を説明する。
【００１５】
この情報通信装置は映像表示部を備えており、来訪者を撮像するカメラ部が設けられた相手側装置に接続されることにより、相手側装置のカメラ部で撮像された映像を表示することができる。なお、相手側装置は、カメラ部の他、操作入力が可能な操作部と、スピーカおよびマイクロフォンを具備し情報通信装置との通話時に音声の入出力を行う音声入出力部と、音声信号や映像信号の入出力を行う信号処理部と、信号線が接続される端子部とを有している。
【００１６】
（実施形態１）
本実施形態の情報通信装置Ａは、図２（ａ）に示すように、壁内に後部を収める形で壁に固定される本体モジュールＭと、本体モジュールＭの前面側に着脱可能に装着される露出パネルＰとを備えている。以下では、情報通信装置Ａを図２（ｂ）のように壁に取り付けた状態での上下左右を上下左右として情報通信装置Ａの構成を説明する。
【００１７】
本体モジュールＭは、図２（ａ）に示すように、前面に矩形状の開口部を有する箱状に形成されたボディ１と、ボディ１の前面に覆着されるカバー２とで構成される器体３を備え、種々の電気部品が実装されている回路基板（図示せず）が器体３内に収納された構成を有する。さらに、本体モジュールＭは、商用電源供給用の電源線が接続される電源端子部５（図４参照）と、信号線が接続される信号端子部６（図４参照）とを器体３から露出させるように背面側に備えている。ボディ１とカバー２とは、カバー２の上下方向の各端部から後方に突出した結合片８に設けた孔に、ボディ１の上下方向の両端面における前端部に設けた結合爪９をそれぞれ係合させることにより結合される。
【００１８】
露出パネルＰは、前面矩形状の薄箱状に形成されたパネルケース１０を備え、種々の電気部品が実装されている回路基板（図示せず）がパネルケース１０内に収納された構成を有する。さらに、露出パネルＰは、パネルケース１０の前壁の一部に透明な表示窓１１が配設されており、液晶パネルからなる映像表示部１２（図４参照）をパネルケース１０内における表示窓１１の後方に備えている。ここで、パネルケース１０は、前面の左寄りの位置に表示窓１１を有しており、表示窓１１の右方には小孔が多数形成されたスピーカ取付部１３が配設されるとともに、操作部１４（図４参照）を構成する操作ハンドル１５がスピーカ取付部１３の下方に配設されている。さらに、表示窓１１の左下方にはマイク用孔１６が形成され、マイク用孔１６の右方つまり表示窓１１の下方には操作部１４を構成する押釦１７が左右方向に複数個（ここでは２個）列設されている。パネルケース１０内において、スピーカ取付部１３に対応する位置にはスピーカ１８ａ（図４参照）が設けられ、マイク用孔１６に対応する位置にはマイクロフォン１８ｂ（図４参照）が設けられ、スピーカ１８ａおよびマイクロフォン１８ｂは、相手側装置５０との通話時に音声の入出力を行う音声入出力部１８を構成する。
【００１９】
ここで、本実施形態の本体モジュールＭは、壁面からの器体３の突出量を小さく抑え、且つ、一般に普及している埋込型の配線器具との外観上の統一感を出すとともに、取り付けに用いる部材の低コスト化を図るために、壁内に設置された埋込型の配線器具用の埋込ボックスＳＢを用いて壁に取り付けられる。埋込ボックスＳＢは、前面開口の箱状に形成されており、上下方向に対向する一対の内側面には、それぞれ本体モジュールＭを埋込ボックスＳＢに固定する取付ねじ２０（図１参照）用のねじ孔２１を有した器具固定突起２２が複数個ずつ突設されている。壁面を構成する壁材Ｗにおいて埋込ボックスＳＢに対応する部分には矩形状の施工孔２３が開設される。
【００２０】
本体モジュールＭは、この施工孔２３を通して前方から埋込ボックスＳＢに取り付けられるのであって、器体３が後部を埋込ボックスＳＢ内に収納可能な形状および寸法に形成されている。また、本実施形態では、本体モジュールＭの器体３は１連用の取付枠（図示せず）を２個まで取付可能な埋込ボックスＳＢに対応する大きさに形成されている。ここでいう１連用の取付枠とは、埋込型の配線器具用に規格化されている単位寸法の配線器具を幅方向（上下方向）に３個並べて取付可能な取付枠を意味しており、以下では、１連用の取付枠が左右方向に２個連接された寸法を「２連用」、３個連接された寸法を「３連用」と呼ぶ。すなわち、本実施形態の本体モジュールＭは２連用の埋込ボックスＳＢに取付可能な寸法に設定される。
【００２１】
より具体的に説明すると、本体モジュールＭのカバー２は、上下方向の各端面のそれぞれから互いに離れる向きに延設された一対の取付片２４を連続一体に有する。一対の取付片２４は、カバー２の左右方向の略全長にわたって形成される。各取付片２４には、埋込型の配線器具を埋込ボックスＳＢに固定する際に用いられる取付枠と同様に、取付ねじ２０を挿通するボックス用孔２５がそれぞれ複数個（ここでは２個）ずつ形成されている。なお、各取付片２４はカバー２の他の部位に比較して前方に突出している。
【００２２】
上記構成の本体モジュールＭと露出パネルＰとのそれぞれには、互いに係合することで本体モジュールＭに露出パネルＰを装着する取付手段が設けられている。本体モジュールＭにおいては、図３（ａ）に示すように下側の取付片２４に設けた引掛孔２７と、上側の取付片２４に設けた取付孔２６とが取付手段として設けられている。引掛孔２７は左右方向に複数個並設されており、取付孔２６は一方のボックス用孔２５の両側に貫設されている。露出パネルＰにおいては、図３（ｂ）に示すように背面側の下端部であって各引掛孔２７に対応する位置からそれぞれ突出し先端部が下方に延長されており、先端部が引掛孔２７に挿入されることで引掛孔２７に引っ掛かる鉤片２９と、背面側の上端部であって各取付孔２６に対応する位置にそれぞれ突設された取付突起３０とが取付手段として設けられている。取付突起３０の先端部には上方に突出する係合爪が設けられており、係合爪は取付突起３０の基端部側ほど取付突起３０からの突出量が大きくなるように上面が傾斜している。
【００２３】
この構成により、本体モジュールＭの引掛孔２７に露出パネルＰの鉤片２９を引っ掛けた状態で、引掛孔２７を支点部として本体モジュールＭの前面の下辺周りで露出パネルＰを回転させるように露出パネルＰの上端部を本体モジュールＭ側に押し付けて、露出パネルＰの取付突起３０を本体モジュールＭの取付孔２６に挿入し、係合爪を取付孔２６に係合させれば、露出パネルＰが本体モジュールＭに装着されることとなる。
【００２４】
また、露出パネルＰは前面が３連用の埋込ボックスＳＢに取付可能な配線器具と同等の大きさに形成され、上下方向の寸法が本体モジュールＭよりやや大きく設定されている。したがって、露出パネルＰは本体モジュールＭの前面を覆う形で装着されることになる。
【００２５】
ここにおいて、情報通信装置Ａの内部回路は、本体モジュールＭと露出パネルＰとに分割して設けられている。
【００２６】
すなわち、本体モジュールＭは、図４に示すように電源スイッチＳＷを介して電源端子部５に接続され内部回路に直流電源を供給する電源回路３４（ＡＣ／ＤＣ電源部３４ａおよびＤＣ／ＤＣ電源部３４ｂ）と、情報の授受を行う情報口としての信号端子部６に接続された外部インタフェース部３７とを有している。電源スイッチＳＷは本体モジュールＭの前面側に露出している。
【００２７】
一方、露出パネルＰは、図４に示すように、音声入出力部１８や映像表示部１２や操作部１４等、電源回路３４から電力供給を受け情報の入出力を行う手段（情報入力手段および情報出力手段）の他、音声入出力部１８および映像表示部１２と外部インタフェース部３７とに接続され、音声信号や映像信号の入出力を行う信号処理部３５と、操作部１４からの操作入力を受け付けて内部回路の各部の動作を制御する全体制御部３６とを備えている。信号処理部３５は、音声信号を増幅するアンプを含む音声処理部３５ａと、映像信号を復調する復調回路を含み映像表示部１２に映像を表示する映像伝送処理部３５ｂとを有している。なお、本実施形態では、信号線に音声信号と映像信号とが多重化されて伝送されており、そのため信号処理部３５には、音声処理部３５ａおよび映像伝送処理部３５ｂと外部インタフェース部３７との間に挿入され、多重化された音声信号と映像信号とを分離する多重分離部３５ｃが設けられている。
【００２８】
ここで、露出パネルＰは本体モジュールＭを接続するためのパネル側コネクタＣｐ１（図３（ｂ）参照）を有し、本体モジュールＭはパネル側コネクタＣｐ１に接続される本体側コネクタＣｍ１（図３（ａ）参照）を接続手段として有し、パネル側コネクタＣｐ１と本体側コネクタＣｍ１とを互いに接続することにより、本体モジュールＭと露出パネルＰとが互いに電気的に接続され、露出パネルＰには電源回路３４から直流電源が供給される。本体側コネクタＣｍ１には本体モジュールＭ内で外部インタフェース部３７および電源回路３４が接続されており、パネル側コネクタＣｐ１には露出パネルＰ内で全体制御部３６および信号処理部３５が接続されている。
【００２９】
本体側コネクタＣｍ１は、本体モジュールＭの器体３内の回路基板に実装されており、カバー２に設けた孔を通して本体モジュールＭの前面側に露出する。パネル側コネクタＣｐ１は本体モジュールＭに露出パネルＰを装着した状態で本体側コネクタＣｍ１と突き合わされる位置に配設されており、本体モジュールＭに露出パネルＰを装着するだけで本体側コネクタＣｍ１およびパネル側コネクタＣｐ１が互いに接触することにより本体モジュールＭと露出パネルＰとの電気的接続が完了する。したがって、本体モジュールＭに露出パネルＰを装着する作業と本体モジュールＭに露出パネルＰを電気的に接続する作業とを別々に行う場合に比べて、作業性が向上する。
【００３０】
以上説明した構成によれば、情報通信装置Ａは本体モジュールＭと露出パネルＰとに分割されているので、本体モジュールＭを共通の仕様としておくことにより、露出パネルＰのみの交換で情報通信装置Ａの機能（たとえば録画・再生機能の有無や映像表示部１２の画面サイズなど）を容易に変更することが可能となる。
【００３１】
ところで、本実施形態では、露出パネルＰが本体モジュールＭに装着された状態で、露出パネルＰの背面の周部が本体モジュールＭの周囲の壁面に対向する構成を採用している。ここにおいて、露出パネルＰの背面と壁面との間に隙間が生じると、露出パネルＰと本体モジュールＭとの間に塵埃が入り込みやすくなり、また、情報通信装置Ａの見映えが悪くなるという問題がある。そこで、本実施形態では以下の構成を採用することにより、露出パネルＰと壁面との間に隙間が生じることを防止している。
【００３２】
すなわち、露出パネルＰの背面の周部と壁面との間には、図１に示すように弾性材料から形成され露出パネルＰと壁面との隙間を埋める弾接体３８が配設されている。これにより、壁に固定された本体モジュールＭに対して露出パネルＰを覆着すると、弾接体３８が壁面に弾接して壁面の形状に合わせて弾性変形することになる。このとき、弾接体３８は壁面に密着し、露出パネルＰと壁面との間に隙間が生じることを防止できるという利点がある。なお、図２（ａ）では合成樹脂製の埋込ボックスＳＢを例示したが、図１では金属製の埋込ボックスＳＢを例示している。
【００３３】
詳述すると、露出パネルＰのパネルケース１０は、背面側における外周部に周壁３９が立設された構成を有しており、当該周壁３９の背面側に弾接体３８を設けてある。ここで、本体モジュールＭは一部（取付片２４）を壁面から突出させる形で壁に固定されるので、本体モジュールＭにおける壁面からの突出部分が露出パネルＰの背面側であって周壁３９で囲まれた空間内に収容されることとなる。本実施形態の露出パネルＰは、背面の下辺に設けた周壁３９の左右方向の中央部に切欠４０を有しており、この切欠４０に本体モジュールＭにおける下側の取付片２４の一部が嵌り込むことで、取付片２４の一部が周壁３９と共に露出パネルＰの背面側において略全周を包囲する。
【００３４】
ここでは、弾接体３８は熱可塑性エラストマーから成り、一方、パネルケース１０のうち弾接体３８以外の部分は硬質の合成樹脂製から成り、両者（弾接体３８および弾接体３８以外の部分）は二色成形によって同時に成形される。なお、弾接体３８は熱可塑性エラストマーに限らず弾性材料からなるものであればよく、たとえば弾接体３８を合成ゴム製とする場合には、パネルケース１０とは別に弾接体３８を形成し、当該弾接体３８をパネルケース１０の背面の外周部に取着するものとする。
【００３５】
また、弾接体３８は、図５に示すように壁面との対向面に突設され、露出パネルＰの背面の外周に沿う形で延長された突条３８ａを具備するものであってもよい。なお、図５は図１の領域Ｘに相当する部分を示す図である。突条３８ａは、弾接体３８の突条３８ａ以外の部分に比べて幅寸法が小さく設定されている。しかして、突条３８ａのない構成に比較すると、弾接体３８のうち壁面に弾接する部分（突条３８ａ）が壁面の形状に合わせて弾性変形しやすくなり、露出パネルＰと壁面との間に隙間がより一層生じにくくなる。
【００３６】
さらにまた、図５の例では、突条３８ａは先端部の表面が後方に凸となるように湾曲した形状を採用している。すなわち、突条３８ａは、長手方向に直交する断面のうち壁面に当接する部分が壁面側に凸となる弧状に形成されている。これにより、突条３８ａの先端部には角がなくなるので、突条３８ａの先端部を壁面に弾接させた状態で露出パネルＰを壁面に沿って移動させたとしても、突条３８ａが壁面に対して引っ掛かりにくくなる。したがって、露出パネルＰの着脱に際して、壁面に対する露出パネルＰの摺動を伴う方法を適用する場合（たとえば、本体モジュールＭに係合した状態の露出パネルＰを壁面に沿ってスライドさせることで露出パネルＰを着脱する場合）でも、突条３８ａが引っ掛かることによる壁紙の破損等を回避することができる。
【００３７】
ところで、上記実施形態では、本体モジュールＭを埋込型とした情報通信装置Ａについて説明したが、本体モジュールＭは埋込型に限るものではなく、図６に示すように壁面に背面を対向させる形で壁に固定される露出型の本体モジュールＭを備えた情報通信装置Ａに本発明を適用してもよい。なお、図６では弾接体の図示を省略している。
【００３８】
また、上記実施形態では、インターホン親機としての情報通信装置Ａに本発明を適用する例を示したが、この例に限るものではなく、たとえば太陽光発電の発電量等の情報を監視して表示する装置など、種々の情報通信装置Ａに本発明を適用することができる。
【図面の簡単な説明】
【００３９】
【図１】本発明の実施形態１の構成を示す概略断面図である。
【図２】同上の構成を示し、（ａ）は分解斜視図、（ｂ）は壁に取り付けた状態の斜視図である。
【図３】同上の構成を示し、（ａ）は本体モジュールの斜視図、（ｂ）は露出パネルの斜視図である。
【図４】同上の構成を示す概略ブロック図である。
【図５】同上の他の構成を示し、図１の領域Ｘに相当する部分の概略断面図である。
【図６】同上のさらに他の構成例を示し、（ａ）は前面側から見た斜視図、（ｂ）は背面側から見た斜視図である。
【図７】従来例を示す概略断面図である。
【符号の説明】
【００４０】
３４  電源回路
３８  弾接体
３８ａ  突条
Ａ  情報通信装置
Ｍ  本体モジュール
Ｐ  露出パネル
【図１】
2009218944.tif 000003
【図２】
2009218944.tif 000004
【図３】
2009218944.tif 000005
【図４】
2009218944.tif 000006
【図５】
2009218944.tif 000007
【図６】
2009218944.tif 000008
【図７】
2009218944.tif 000009